【手続補正書】
【提出日】平成30年12月14日(2018.12.14)
【手続補正１】
【補正対象書類名】特許請求の範囲
【補正対象項目名】全文
【補正方法】変更
【補正の内容】
【特許請求の範囲】
【請求項１】
ワイヤレスデバイスにおける通信の方法であって、
受信機に送信されるべき、シンボルにおいて送信されることが可能なデータビットの数のための上限を識別することと、
前記シンボルにおいて前記受信機に送信されるべきデータビットの数を決定することと、
前記シンボルを含んでいるプロトコルデータユニット（ＰＤＵ）の終端にパディングを選択的に追加することと、ここにおいて、前記パディングの量が、送信されるべきデータビットの前記数と前記シンボルにおいて送信されることが可能なデータビットの前記数のための前記上限との比に少なくとも部分的に基づく、
前記受信機に前記ＰＤＵを送信することと
を備える、方法。
【請求項２】
前記パディングが、前記シンボルにおいて送信されるべきデータビットの前記数を処理するための、ショートフレーム間スペース（ＳＩＦＳ）に対する追加の時間を与える、請求項１に記載の方法。
【請求項３】
送信されるべきデータビットの前記数と前記上限との比の複数のビンを識別することと、
前記複数のビンのうちのどれが、送信されるべきデータビットの前記数と前記上限との前記比に対応するかに少なくとも部分的に基づいて、パディングの量を決定することと
をさらに備える、請求項１に記載の方法。
【請求項４】
前記複数のビンの各々が、前記ＰＤＵの前記終端に追加されるべきパディングの所定の量の整数倍に対応する、請求項３に記載の方法。
【請求項５】
前記受信機に、送信されるべきデータビットの前記数と前記上限との前記比に対応する前記複数のビンのうちのビンのインジケーションを送信すること
をさらに備える、請求項３に記載の方法。
【請求項６】
前記デバイスがワイヤレス通信ネットワーク中のアクセスポイント（ＡＰ）であり、ここにおいて、前記識別すること、前記決定すること、および前記選択的に追加することが、前記ＡＰとワイヤレス通信する複数の局（ＳＴＡ）の各々について行われる、請求項１に記載の方法。
【請求項７】
前記複数のＳＴＡの間のパディングの最大量を決定することと、
前記複数のＳＴＡの各々にパディングの前記最大量を適用することと
をさらに備える、請求項６に記載の方法。
【請求項８】
前記デバイスがワイヤレス通信ネットワーク中のアクセスポイント（ＡＰ）であり、ここにおいて、
データビットの数のための前記上限が、前記ＡＰとのワイヤレス通信において複数の局（ＳＴＡ）の各々に送信されることが可能なデータビットのアグリゲートされた数を備え、
送信されるべきデータビットの前記数が、送信されるべきデータビットのアグリゲートされた数を備える、
請求項１に記載の方法。
【請求項９】
パディングの量のインジケーションをトリガメッセージにおいて前記複数のＳＴＡの各々に送信すること
をさらに備える、請求項８に記載の方法。
【請求項１０】
ワイヤレスデバイスにおける通信の方法であって、
受信機に送信されるべき、シンボルにおけるコード化データビットの総数を決定することと、
前記受信機に送信されるべき、前記シンボルにおけるコード化データビットの前記総数のうちの有用なコード化データビットの数を決定することと、
有用なコード化データビットの前記数とコード化データビットの前記総数との比に少なくとも部分的に基づいて、前記シンボルの終端にフレーム拡張を追加することと、
前記受信機に前記シンボルを送信することと
を備える、方法。
【請求項１１】
有用なコード化データビットの前記数とコード化データビットの前記総数との間の差が決定され、追加の処理時間の量が前記差と前記フレーム拡張との和を備える、請求項１０に記載の方法。
【請求項１２】
追加の処理時間の前記量が、前記受信機への前記シンボルの送信のために使用される帯域幅に基づいて決定される、請求項１１に記載の方法。
【請求項１３】
前記フレーム拡張が、予め定義されたフレーム拡張の整数倍に量子化される、請求項１１に記載の方法。
【請求項１４】
追加の処理時間の前記量が、前記受信機への前記シンボルの送信のために使用される変調およびコーディング方式（ＭＣＳ）に少なくとも部分的に基づいて決定される、請求項１１に記載の方法。
【請求項１５】
追加の処理時間の前記量がさらに、前記受信機に送信された空間ストリームの数に少なくとも部分的に基づいて決定される、請求項１４に記載の方法。
【請求項１６】
追加の処理時間の前記量が、有用なコード化データビットの前記数に関連する復号時間に少なくとも部分的に基づいて決定される、請求項１１に記載の方法。
【請求項１７】
前記復号時間が、前記受信機への前記シンボルの送信のために使用される帯域幅に少なくとも部分的に基づく、請求項１６に記載の方法。
【請求項１８】
通信デバイスであって、
プロセッサと、前記プロセッサに通信可能に結合されたメモリとを備え、前記メモリは、前記プロセッサによって実行されたとき、前記通信デバイスに、
受信機に送信されるべき、シンボルにおいて送信されることが可能なデータビットの数のための上限を識別することと、
前記シンボルにおいて前記受信機に送信されるべきデータビットの数を決定することと、
前記シンボルを含んでいるプロトコルデータユニット（ＰＤＵ）の終端にパディングを選択的に追加することと、ここにおいて、前記パディングの量が、送信されるべきデータビットの前記数と前記シンボルにおいて送信されることが可能なデータビットの前記数のための前記上限との比に少なくとも部分的に基づく、
前記受信機に前記ＰＤＵを送信することと
をさせるコンピュータ可読コードを備える、通信デバイス。
【請求項１９】
前記パディングが、前記シンボルにおいて送信されるべきデータビットの前記数を処理するための、ショートフレーム間スペース（ＳＩＦＳ）に対する追加の時間を与える、請求項１８に記載の通信デバイス。
【請求項２０】
前記コンピュータ可読コードは、前記少なくとも１つのデバイスに、
送信されるべきデータビットの前記数と前記上限との比の複数のビンを識別することと、
前記複数のビンのうちのどれが、送信されるべきデータビットの前記数と前記上限との前記比に対応するかに少なくとも部分的に基づいて、パディングの量を決定することと
をさらにさせる、請求項１８に記載の通信デバイス。
【請求項２１】
前記デバイスがワイヤレス通信ネットワーク中のアクセスポイント（ＡＰ）であり、ここにおいて、
データビットの数のための前記上限が、前記ＡＰとのワイヤレス通信において複数の局（ＳＴＡ）の各々に送信されることが可能なデータビットのアグリゲートされた数を備え、
送信されるべきデータビットの前記数が、送信されるべきデータビットのアグリゲートされた数を備える、
請求項１８に記載の通信デバイス。
【請求項２２】
通信デバイスであって、
プロセッサと、前記プロセッサに通信可能に結合されたメモリとを備え、前記メモリが、前記プロセッサによって実行されたとき、前記通信デバイスに、
受信機に送信されるべき、シンボルにおけるコード化データビットの総数を決定することと、
前記受信機に送信されるべき、前記シンボルにおけるコード化データビットの前記総数のうちの有用なコード化データビットの数を決定することと、
有用なコード化データビットの前記数とコード化データビットの前記総数との比に少なくとも部分的に基づいて、前記シンボルの終端にフレーム拡張を追加することと、
前記受信機に前記シンボルを送信することと
をさせるコンピュータ可読コードを備える、通信デバイス。
【請求項２３】
有用なコード化データビットの前記数とコード化データビットの前記総数との間の差が決定され、追加の処理時間の量が前記差と前記フレーム拡張との和を備える、請求項２２に記載の通信デバイス。
【請求項２４】
追加の処理時間の前記量が、前記受信機への前記シンボルの送信のために使用される帯域幅に基づいて決定される、請求項２３に記載の通信デバイス。
【請求項２５】
受信機に送信されるべき、シンボルにおいて送信されることが可能なデータビットの数のための上限を識別するための手段と、
前記シンボルにおいて前記受信機に送信されるべきデータビットの数を決定するための手段と、
前記シンボルを含んでいるプロトコルデータユニット（ＰＤＵ）の終端にパディングを選択的に追加するための手段と、ここにおいて、前記パディングの量が、送信されるべきデータビットの前記数と前記シンボルにおいて送信されることが可能なデータビットの前記数のための前記上限との比に少なくとも部分的に基づく、
前記受信機に前記ＰＤＵを送信するための手段と
を備える、通信デバイス。
【請求項２６】
前記パディングが、前記シンボルにおいて送信されるべきデータビットの前記数を処理するための、ショートフレーム間スペース（ＳＩＦＳ）に対する追加の時間を与える、請求項２５に記載の通信デバイス。
【請求項２７】
送信されるべきデータビットの前記数と前記上限との比の複数のビンを識別するための手段と、
前記複数のビンのうちのどれが、送信されるべきデータビットの前記数と前記上限との前記比に対応するかに少なくとも部分的に基づいて、パディングの量を決定するための手段と
をさらに備える、請求項２５に記載の通信デバイス。
【請求項２８】
前記複数のビンの各々が、前記ＰＤＵの前記終端に追加されるべきパディングの所定の量の整数倍に対応する、請求項２７に記載の通信デバイス。
【請求項２９】
前記受信機に、送信されるべきデータビットの前記数と前記上限との前記比に対応する前記複数のビンのうちのビンのインジケーションを送信するための手段
をさらに備える、請求項２７に記載の通信デバイス。
【請求項３０】
前記デバイスがワイヤレス通信ネットワーク中のアクセスポイント（ＡＰ）であり、ここにおいて、前記識別すること、前記決定すること、および前記選択的に追加することが、前記ＡＰとワイヤレス通信する複数の局（ＳＴＡ）の各々について行われる、請求項２５に記載の通信デバイス。
【請求項３１】
前記複数のＳＴＡの間のパディングの最大量を決定するための手段と、
前記複数のＳＴＡの各々にパディングの前記最大量を適用するための手段と
をさらに備える、請求項３０に記載の通信デバイス。
【請求項３２】
前記デバイスがワイヤレス通信ネットワーク中のアクセスポイント（ＡＰ）であり、ここにおいて、
データビットの数のための前記上限が、前記ＡＰとのワイヤレス通信において複数の局（ＳＴＡ）の各々に送信されることが可能なデータビットのアグリゲートされた数を備え、
送信されるべきデータビットの前記数が、送信されるべきデータビットのアグリゲートされた数を備える、
請求項２５に記載の通信デバイス。
【請求項３３】
パディングの量のインジケーションをトリガメッセージにおいて前記複数のＳＴＡの各々に送信するための手段
をさらに備える、請求項３２に記載の通信デバイス。
【請求項３４】
受信機に送信されるべき、シンボルにおけるコード化データビットの総数を決定するための手段と、
前記受信機に送信されるべき、前記シンボルにおけるコード化データビットの前記総数のうちの有用なコード化データビットの数を決定するための手段と、
有用なコード化データビットの前記数とコード化データビットの前記総数との比に少なくとも部分的に基づいて、前記シンボルの終端にフレーム拡張を追加するための手段と、
前記受信機に前記シンボルを送信するための手段と
を備える、通信デバイス。
【請求項３５】
有用なコード化データビットの前記数とコード化データビットの前記総数との間の差が決定され、追加の処理時間の量が前記差と前記フレーム拡張との和を備える、請求項３４に記載の通信デバイス。
【請求項３６】
追加の処理時間の前記量が、前記受信機への前記シンボルの送信のために使用される帯域幅に基づいて決定される、請求項３５に記載の通信デバイス。
【請求項３７】
前記フレーム拡張が、予め定義されたフレーム拡張の整数倍に量子化される、請求項３５に記載の通信デバイス。
【請求項３８】
追加の処理時間の前記量が、前記受信機への前記シンボルの送信のために使用される変調およびコーディング方式（ＭＣＳ）に少なくとも部分的に基づいて決定される、請求項３５に記載の通信デバイス。
【請求項３９】
追加の処理時間の前記量がさらに、前記受信機に送信された空間ストリームの数に少なくとも部分的に基づいて決定される、請求項３８に記載の通信デバイス。
【請求項４０】
追加の処理時間の前記量が、有用なコード化データビットの前記数に関連する復号時間に少なくとも部分的に基づいて決定される、請求項３５に記載の通信デバイス。
【請求項４１】
前記復号時間が、前記受信機への前記シンボルの送信のために使用される帯域幅に少なくとも部分的に基づく、請求項４０に記載の通信デバイス。
【請求項４２】
ワイヤレスデバイスにおける通信のためのコードを記憶する非一時的コンピュータ可読媒体であって、前記コードは、
受信機に送信されるべき、シンボルにおいて送信されることが可能なデータビットの数のための上限を識別することと、
前記シンボルにおいて前記受信機に送信されるべきデータビットの数を決定することと、
前記シンボルを含んでいるプロトコルデータユニット（ＰＤＵ）の終端にパディングを選択的に追加することと、ここにおいて、前記パディングの量が、送信されるべきデータビットの前記数と前記シンボルにおいて送信されることが可能なデータビットの前記数のための前記上限との比に少なくとも部分的に基づく、
前記受信機に前記ＰＤＵを送信することと
を行うために実行可能な命令を備える、非一時的コンピュータ可読媒体。
【請求項４３】
前記パディングが、前記シンボルにおいて送信されるべきデータビットの前記数を処理するための、ショートフレーム間スペース（ＳＩＦＳ）に対する追加の時間を与える、請求項４２に記載の非一時的コンピュータ可読媒体。
【請求項４４】
ワイヤレスデバイスにおける通信のためのコードを記憶する非一時的コンピュータ可読媒体であって、前記コードが、
受信機に送信されるべき、シンボルにおけるコード化データビットの総数を決定することと、
前記受信機に送信されるべき、前記シンボルにおけるコード化データビットの前記総数のうちの有用なコード化データビットの数を決定することと、
有用なコード化データビットの前記数とコード化データビットの前記総数との比に少なくとも部分的に基づいて、前記シンボルの終端にフレーム拡張を追加することと、
前記受信機に前記シンボルを送信することと
を行うために実行可能な命令を備える、非一時的コンピュータ可読媒体。
【請求項４５】
有用なコード化データビットの前記数とコード化データビットの前記総数との間の差が決定され、追加の処理時間の量が前記差と前記フレーム拡張との和を備える、請求項４４に記載の非一時的コンピュータ可読媒体。
【手続補正２】
【補正対象書類名】明細書
【補正対象項目名】０１４０
【補正方法】変更
【補正の内容】
【０１４０】
[0124]  本開示についての以上の説明は、当業者が本開示を作成または使用できるように与えられたものである。本開示への様々な変更は当業者には容易に明らかとなり、本明細書で定義された一般原理は、本開示の範囲から逸脱することなく他の変形形態に適用され得る。従って、本開示は、本明細書で述べられた例および設計に限定されるべきでなく、本明細書で開示された原理および新規の特徴に合致する最も広い範囲を与えられるべきである。
以下に本願発明の当初の特許請求の範囲に記載された発明を付記する。
［Ｃ１］
ワイヤレスデバイスにおける通信の方法であって、
受信機に送信されるべき、シンボルにおいて送信されることが可能なデータビットの数のための上限を識別することと、
前記シンボルにおいて前記受信機に送信されるべきデータビットの数を決定することと、
前記シンボルを含んでいるプロトコルデータユニット（ＰＤＵ）の終端にパディングを選択的に追加することと、ここにおいて、前記パディングの量が、送信されるべきデータビットの前記数と前記シンボルにおいて送信されることが可能なデータビットの前記数のための前記上限との比に少なくとも部分的に基づく、
を備える、方法。
［Ｃ２］
前記パディングが、前記シンボルにおいて送信されるべきデータビットの前記数を処理するための、ショートフレーム間スペース（ＳＩＦＳ）に対する追加の時間を与える、Ｃ１に記載の方法。
［Ｃ３］
送信されるべきデータビットの前記数と前記上限との比の複数のビンを識別することと、
前記複数のビンのうちのどれが、送信されるべきデータビットの前記数と前記上限との前記比に対応するかに少なくとも部分的に基づいて、パディングの量を決定することとをさらに備える、Ｃ１に記載の方法。
［Ｃ４］
前記複数のビンの各々が、前記ＰＤＵの前記終端に追加されるべきパディングの所定の量の整数倍に対応する、Ｃ３に記載の方法。
［Ｃ５］
前記受信機に、送信されるべきデータビットの前記数と前記上限との前記比に対応する前記複数のビンのうちのビンのインジケーションを送信すること
をさらに備える、Ｃ３に記載の方法。
［Ｃ６］
前記デバイスがワイヤレス通信ネットワーク中のアクセスポイント（ＡＰ）であり、ここにおいて、前記識別すること、前記決定すること、および前記選択的に追加することが、前記ＡＰとワイヤレス通信する複数の局（ＳＴＡ）の各々について行われる、Ｃ１に記載の方法。
［Ｃ７］
前記複数のＳＴＡの間のパディングの最大量を決定することと、
前記複数のＳＴＡの各々にパディングの前記最大量を適用することと
をさらに備える、Ｃ６に記載の方法。
［Ｃ８］
前記デバイスがワイヤレス通信ネットワーク中のアクセスポイント（ＡＰ）であり、ここにおいて、
データビットの数のための前記上限が、前記ＡＰとのワイヤレス通信において複数の局（ＳＴＡ）の各々に送信されることが可能なデータビットのアグリゲートされた数を備え、
送信されるべきデータビットの前記数が、送信されるべきデータビットのアグリゲートされた数を備える、
Ｃ１に記載の方法。
［Ｃ９］
パディングの量のインジケーションをトリガメッセージにおいて前記複数のＳＴＡの各々に送信すること
をさらに備える、Ｃ８に記載の方法。
［Ｃ１０］
ワイヤレスデバイスにおける通信の方法であって、
少なくとも１つのプロトコルデータユニット（ＰＤＵ）を受信することと、
肯定応答／否定応答（ＡＣＫ／ＮＡＣＫ）フィードバックが前記ＰＤＵのために生成されるべきであることを識別することと、
前記ＰＤＵのための前記ＡＣＫ／ＮＡＣＫフィードバックを生成することと、
前記ＰＤＵのための前記ＡＣＫ／ＮＡＣＫフィードバックを前記生成することの少なくとも一部分と同時に、およびＡＣＫ／ＮＡＣＫフィードバックが生成されるべきであることを識別することに少なくとも部分的に基づいて、前記ＡＣＫ／ＮＡＣＫフィードバックのためのプリアンブルを送信することと
を備える、方法。
［Ｃ１１］
前記ＡＣＫ／ＮＡＣＫフィードバックのための前記プリアンブルを送信することの後に前記ＡＣＫ／ＮＡＣＫフィードバックを送信すること
をさらに備える、Ｃ１０に記載の方法。
［Ｃ１２］
前記ＡＣＫ／ＮＡＣＫフィードバックを前記生成することが、
前記ＡＣＫ／ＮＡＣＫフィードバックのための前記プリアンブルを送信することの前に前記ＡＣＫ／ＮＡＣＫフィードバックの最初の部分を生成することと、
前記ＡＣＫ／ＮＡＣＫフィードバックのための前記プリアンブルを送信することの間に前記ＡＣＫ／ＮＡＣＫフィードバックの残りの部分を生成することと
を備える、Ｃ１０に記載の方法。
［Ｃ１３］
ＡＣＫ／ＮＡＣＫフィードバックが前記ＰＤＵのために生成されるべきであることを識別することは、
前記ＡＣＫ／ＮＡＣＫフィードバックのための前記プリアンブルを送信することより前に前記ＰＤＵに関連するＡＣＫポリシーを復号すること
を備える、Ｃ１０に記載の方法。
［Ｃ１４］
少なくとも１つのＰＤＵがＰＤＵのシーケンスを備え、前記ＡＣＫポリシーが、ＰＤＵの前記シーケンスの始端の近くに位置する、ＰＤＵの前記シーケンスの第１のＰＤＵ中で送信される、Ｃ１３に記載の方法。
［Ｃ１５］
前記第１のＰＤＵが、データビットの所定のしきい値を下回る数のデータビットを備える、Ｃ１４に記載の方法。
［Ｃ１６］
前記所定のしきい値が前記デバイスの処理能力に少なくとも部分的に基づく、Ｃ１５に記載の方法。
［Ｃ１７］
前記デバイスが、複数の局（ＳＴＡ）と同時通信しているアクセスポイント（ＡＰ）から通信を受信するワイヤレス通信ネットワーク中のＳＴＡであり、ここにおいて、前記ＰＤＵは、ＡＣＫ／ＮＡＣＫフィードバックが前記ＰＤＵのために生成されるべきであることを識別することにおける前記ＳＴＡによる使用のための前記ＰＤＵに関連するＡＣＫポリシーを備える、Ｃ１０に記載の方法。
［Ｃ１８］
前記デバイスが、複数の局（ＳＴＡ）と同時通信しているワイヤレス通信ネットワーク中のアクセスポイント（ＡＰ）であり、ここにおいて、ＡＣＫ／ＮＡＣＫフィードバックが前記少なくとも１つのＰＤＵのために生成されるべきであることを識別することは、 ＡＣＫ／ＮＡＣＫフィードバックが前記複数のＳＴＡのうちの１つまたは複数のＳＴＡのために生成されるべきであることを識別すること
を備える、Ｃ１０に記載の方法。
［Ｃ１９］
ワイヤレスデバイスにおける通信の方法であって、
受信機に送信されるべき、シンボルにおけるコード化データビットの総数を決定することと、
前記受信機に送信されるべき、前記シンボルにおけるコード化データビットの前記総数のうちの有用なコード化データビットの数を決定することと、
有用なコード化データビットの前記数とコード化データビットの前記総数との比に少なくとも部分的に基づいて、前記シンボルの終端にフレーム拡張を追加することと
を備える、方法。
［Ｃ２０］
有用なコード化データビットの前記数とコード化データビットの前記総数との間の差が決定され、追加の処理時間の量が前記差と前記フレーム拡張との和を備える、Ｃ１９に記載の方法。
［Ｃ２１］
追加の処理時間の前記量が、前記受信機への前記シンボルの送信のために使用される帯域幅に基づいて決定される、Ｃ２０に記載の方法。
［Ｃ２２］
前記フレーム拡張が、予め定義されたフレーム拡張の整数倍に量子化される、Ｃ２０に記載の方法。
［Ｃ２３］
追加の処理時間の前記量が、前記受信機への前記シンボルの送信のために使用される変調およびコーディング方式（ＭＣＳ）に少なくとも部分的に基づいて決定される、Ｃ２０に記載の方法。
［Ｃ２４］
追加の処理時間の前記量がさらに、前記受信機に送信された空間ストリームの数に少なくとも部分的に基づいて決定される、Ｃ２３に記載の方法。
［Ｃ２５］
追加の処理時間の前記量が、有用なコード化データビットの前記数に関連する復号時間に少なくとも部分的に基づいて決定される、Ｃ２０に記載の方法。
［Ｃ２６］
前記復号時間が、前記受信機への前記シンボルの送信のために使用される帯域幅に少なくとも部分的に基づく、Ｃ２５に記載の方法。
［Ｃ２７］
通信デバイスであって、
プロセッサと、前記プロセッサに通信可能に結合されたメモリとを備え、前記メモリは、前記プロセッサによって実行されたとき、前記通信デバイスに、
受信機に送信されるべき、シンボルにおいて送信されることが可能なデータビットの数のための上限を識別することと、
前記シンボルにおいて前記受信機に送信されるべきデータビットの数を決定することと、
前記シンボルを含んでいるプロトコルデータユニット（ＰＤＵ）の終端にパディングを選択的に追加することと、ここにおいて、前記パディングの量が、送信されるべきデータビットの前記数と前記シンボルにおいて送信されることが可能なデータビットの前記数のための前記上限との比に少なくとも部分的に基づく、
をさせるコンピュータ可読コードを備える、通信デバイス。
［Ｃ２８］
前記パディングが、前記シンボルにおいて送信されるべきデータビットの前記数を処理するための、ショートフレーム間スペース（ＳＩＦＳ）に対する追加の時間を与える、Ｃ２７に記載の通信デバイス。
［Ｃ２９］
前記コンピュータ可読コードは、少なくとも１つのデバイスに、
送信されるべきデータビットの前記数と前記上限との比の複数のビンを識別することと、
前記複数のビンのうちのどれが、送信されるべきデータビットの前記数と前記上限との前記比に対応するかに少なくとも部分的に基づいて、パディングの量を決定することとをさらにさせる、Ｃ２７に記載の通信デバイス。
［Ｃ３０］
前記デバイスがワイヤレス通信ネットワーク中のアクセスポイント（ＡＰ）であり、ここにおいて、
データビットの数のための前記上限が、前記ＡＰとのワイヤレス通信において複数の局（ＳＴＡ）の各々に送信されることが可能なデータビットのアグリゲートされた数を備え、
送信されるべきデータビットの前記数が、送信されるべきデータビットのアグリゲートされた数を備える、
Ｃ２７に記載の通信デバイス。
［Ｃ３１］
少なくとも１つのプロトコルデータユニット（ＰＤＵ）を受信するための受信機と、 肯定応答／否定応答（ＡＣＫ／ＮＡＣＫ）フィードバックが前記ＰＤＵのために生成されるべきであることを識別することと、前記ＰＤＵのための前記ＡＣＫ／ＮＡＣＫフィードバックを生成することとを行うためのフィードバックマネージャと、
前記ＰＤＵのための前記ＡＣＫ／ＮＡＣＫフィードバックを前記生成することの少なくとも一部分と同時に、およびＡＣＫ／ＮＡＣＫフィードバックが生成されるべきであることを識別することに少なくとも部分的に基づいて、前記ＡＣＫ／ＮＡＣＫフィードバックのためのプリアンブルを送信するための送信機と
を備える、通信デバイス。
［Ｃ３２］
前記送信機が、前記ＡＣＫ／ＮＡＣＫフィードバックのための前記プリアンブルを送信することの後に前記ＡＣＫ／ＮＡＣＫフィードバックを送信する、Ｃ３１に記載の通信デバイス。
［Ｃ３３］
前記フィードバックマネージャが、前記ＡＣＫ／ＮＡＣＫフィードバックのための前記プリアンブルの送信の前に前記ＡＣＫ／ＮＡＣＫフィードバックの最初の部分を生成し、前記ＡＣＫ／ＮＡＣＫフィードバックのための前記プリアンブルの前記送信中に前記ＡＣＫ／ＮＡＣＫフィードバックの残りの部分を生成する、Ｃ３１に記載の通信デバイス。
［Ｃ３４］
通信デバイスであって、
プロセッサと、前記プロセッサに通信可能に結合されたメモリとを備え、前記メモリが、前記プロセッサによって実行されたとき、前記通信デバイスに、
受信機に送信されるべき、シンボルにおけるコード化データビットの総数を決定することと、
前記受信機に送信されるべき、前記シンボルにおけるコード化データビットの前記総数のうちの有用なコード化データビットの数を決定することと、
有用なコード化データビットの前記数とコード化データビットの前記総数との比に少なくとも部分的に基づいて、前記シンボルの終端にフレーム拡張を追加することと
をさせるコンピュータ可読コードを備える、通信デバイス。
［Ｃ３５］
有用なコード化データビットの前記数とコード化データビットの前記総数との間の差が決定され、追加の処理時間の量が前記差と前記フレーム拡張との和を備える、Ｃ３４に記載の通信デバイス。
［Ｃ３６］
追加の処理時間の前記量が、前記受信機への前記シンボルの送信のために使用される帯域幅に基づいて決定される、Ｃ３５に記載の通信デバイス。
［Ｃ３７］
受信機に送信されるべき、シンボルにおいて送信されることが可能なデータビットの数のための上限を識別するための手段と、
前記シンボルにおいて前記受信機に送信されるべきデータビットの数を決定するための手段と、
前記シンボルを含んでいるプロトコルデータユニット（ＰＤＵ）の終端にパディングを選択的に追加するための手段と、ここにおいて、前記パディングの量が、送信されるべきデータビットの前記数と前記シンボルにおいて送信されることが可能なデータビットの前記数のための前記上限との比に少なくとも部分的に基づく、
を備える、通信デバイス。
［Ｃ３８］
前記パディングが、前記シンボルにおいて送信されるべきデータビットの前記数を処理するための、ショートフレーム間スペース（ＳＩＦＳ）に対する追加の時間を与える、Ｃ３７に記載の通信デバイス。
［Ｃ３９］
送信されるべきデータビットの前記数と前記上限との比の複数のビンを識別するための手段と、
前記複数のビンのうちのどれが、送信されるべきデータビットの前記数と前記上限との前記比に対応するかに少なくとも部分的に基づいて、パディングの量を決定するための手段と
をさらに備える、Ｃ３７に記載の通信デバイス。
［Ｃ４０］
前記複数のビンの各々が、前記ＰＤＵの前記終端に追加されるべきパディングの所定の量の整数倍に対応する、Ｃ３９に記載の通信デバイス。
［Ｃ４１］
前記受信機に、送信されるべきデータビットの前記数と前記上限との前記比に対応する前記複数のビンのうちのビンのインジケーションを送信するための手段
をさらに備える、Ｃ３９に記載の通信デバイス。
［Ｃ４２］
前記デバイスがワイヤレス通信ネットワーク中のアクセスポイント（ＡＰ）であり、ここにおいて、前記識別すること、前記決定すること、および前記選択的に追加することが、前記ＡＰとワイヤレス通信する複数の局（ＳＴＡ）の各々について行われる、Ｃ３７に記載の通信デバイス。
［Ｃ４３］
前記複数のＳＴＡの間のパディングの最大量を決定するための手段と、
前記複数のＳＴＡの各々にパディングの前記最大量を適用するための手段と
をさらに備える、Ｃ４２に記載の通信デバイス。
［Ｃ４４］
前記デバイスがワイヤレス通信ネットワーク中のアクセスポイント（ＡＰ）であり、ここにおいて、
データビットの数のための前記上限が、前記ＡＰとのワイヤレス通信において複数の局（ＳＴＡ）の各々に送信されることが可能なデータビットのアグリゲートされた数を備え、
送信されるべきデータビットの前記数が、送信されるべきデータビットのアグリゲートされた数を備える、
Ｃ３７に記載の通信デバイス。
［Ｃ４５］
パディングの量のインジケーションをトリガメッセージにおいて前記複数のＳＴＡの各々に送信するための手段
をさらに備える、Ｃ４４に記載の通信デバイス。
［Ｃ４６］
少なくとも１つのプロトコルデータユニット（ＰＤＵ）を受信するための手段と、
肯定応答／否定応答（ＡＣＫ／ＮＡＣＫ）フィードバックが前記ＰＤＵのために生成されるべきであることを識別するための手段と、
前記ＰＤＵのための前記ＡＣＫ／ＮＡＣＫフィードバックを生成するための手段と、 前記ＰＤＵのための前記ＡＣＫ／ＮＡＣＫフィードバックを前記生成することの少なくとも一部分と同時に、およびＡＣＫ／ＮＡＣＫフィードバックが生成されるべきであることを識別することに少なくとも部分的に基づいて、前記ＡＣＫ／ＮＡＣＫフィードバックのためのプリアンブルを送信するための手段と
を備える、通信デバイス。
［Ｃ４７］
前記ＡＣＫ／ＮＡＣＫフィードバックのための前記プリアンブルを送信することの後に前記ＡＣＫ／ＮＡＣＫフィードバックを送信するための手段
をさらに備える、Ｃ４６に記載の通信デバイス。
［Ｃ４８］
前記ＡＣＫ／ＮＡＣＫフィードバックを生成するための前記手段が、
前記ＡＣＫ／ＮＡＣＫフィードバックのための前記プリアンブルの送信の前に前記ＡＣＫ／ＮＡＣＫフィードバックの最初の部分を生成し、
前記ＡＣＫ／ＮＡＣＫフィードバックのための前記プリアンブルの前記送信中に前記ＡＣＫ／ＮＡＣＫフィードバックの残りの部分を生成する、
Ｃ４６に記載の通信デバイス。
［Ｃ４９］
ＡＣＫ／ＮＡＣＫフィードバックが前記ＰＤＵのために生成されるべきであることを識別するための前記手段は、前記ＡＣＫ／ＮＡＣＫフィードバックのための前記プリアンブルを送信することより前に前記ＰＤＵに関連するＡＣＫポリシーを復号する、Ｃ４６に記載の通信デバイス。
［Ｃ５０］
少なくとも１つのＰＤＵがＰＤＵのシーケンスを備え、前記ＡＣＫポリシーが、ＰＤＵの前記シーケンスの始端の近くに位置する、ＰＤＵの前記シーケンスの第１のＰＤＵ中で送信される、Ｃ４９に記載の通信デバイス。
［Ｃ５１］
前記第１のＰＤＵが、データビットの所定のしきい値を下回る数のデータビットを備える、Ｃ５０に記載の通信デバイス。
［Ｃ５２］
前記所定のしきい値が前記デバイスの処理能力に少なくとも部分的に基づく、Ｃ５１に記載の通信デバイス。
［Ｃ５３］
前記デバイスが、複数の局（ＳＴＡ）と同時通信しているアクセスポイント（ＡＰ）から通信を受信するワイヤレス通信ネットワーク中のＳＴＡであり、ここにおいて、前記ＰＤＵは、ＡＣＫ／ＮＡＣＫフィードバックが前記ＰＤＵのために生成されるべきであることを識別することにおける前記ＳＴＡによる使用のための前記ＰＤＵに関連するＡＣＫポリシーを備える、Ｃ４６に記載の通信デバイス。
［Ｃ５４］
前記デバイスが、複数の局（ＳＴＡ）と同時通信しているワイヤレス通信ネットワーク中のアクセスポイント（ＡＰ）であり、ここにおいて、ＡＣＫ／ＮＡＣＫフィードバックがＰＤＵの前記シーケンスのために生成されるべきであることを識別するための前記手段は、ＡＣＫ／ＮＡＣＫフィードバックが前記複数のＳＴＡのうちの１つまたは複数のＳＴＡのために生成されるべきであることを識別する、Ｃ４６に記載の通信デバイス。
［Ｃ５５］
受信機に送信されるべき、シンボルにおけるコード化データビットの総数を決定するための手段と、
前記受信機に送信されるべき、前記シンボルにおけるコード化データビットの前記総数のうちの有用なコード化データビットの数を決定するための手段と、
有用なコード化データビットの前記数とコード化データビットの前記総数との比に少なくとも部分的に基づいて、前記シンボルの終端にフレーム拡張を追加するための手段とを備える、通信デバイス。
［Ｃ５６］
有用なコード化データビットの前記数とコード化データビットの前記総数との間の差が決定され、追加の処理時間の量が前記差と前記フレーム拡張との和を備える、Ｃ５５に記載の通信デバイス。
［Ｃ５７］
追加の処理時間の前記量が、前記受信機への前記シンボルの送信のために使用される帯域幅に基づいて決定される、Ｃ５６に記載の通信デバイス。
［Ｃ５８］
前記フレーム拡張が、予め定義されたフレーム拡張の整数倍に量子化される、Ｃ５６に記載の通信デバイス。
［Ｃ５９］
追加の処理時間の前記量が、前記受信機への前記シンボルの送信のために使用される変調およびコーディング方式（ＭＣＳ）に少なくとも部分的に基づいて決定される、Ｃ５６に記載の通信デバイス。
［Ｃ６０］
追加の処理時間の前記量がさらに、前記受信機に送信された空間ストリームの数に少なくとも部分的に基づいて決定される、Ｃ５９に記載の通信デバイス。
［Ｃ６１］
追加の処理時間の前記量が、有用なコード化データビットの前記数に関連する復号時間に少なくとも部分的に基づいて決定される、Ｃ５６に記載の通信デバイス。
［Ｃ６２］
前記復号時間が、前記受信機への前記シンボルの送信のために使用される帯域幅に少なくとも部分的に基づく、Ｃ６１に記載の通信デバイス。
［Ｃ６３］
ワイヤレスデバイスにおける通信のためのコードを記憶する非一時的コンピュータ可読媒体であって、前記コードは、
受信機に送信されるべき、シンボルにおいて送信されることが可能なデータビットの数のための上限を識別することと、
前記シンボルにおいて前記受信機に送信されるべきデータビットの数を決定することと、
前記シンボルを含んでいるプロトコルデータユニット（ＰＤＵ）の終端にパディングを選択的に追加することと、ここにおいて、前記パディングの量が、送信されるべきデータビットの前記数と前記シンボルにおいて送信されることが可能なデータビットの前記数のための前記上限との比に少なくとも部分的に基づく、
を行うために実行可能な命令を備える、非一時的コンピュータ可読媒体。
［Ｃ６４］
前記パディングが、前記シンボルにおいて送信されるべきデータビットの前記数を処理するための、ショートフレーム間スペース（ＳＩＦＳ）に対する追加の時間を与える、Ｃ６３に記載の非一時的コンピュータ可読媒体。
［Ｃ６５］
ワイヤレスデバイスにおける通信のためのコードを記憶する非一時的コンピュータ可読媒体であって、前記コードは、
少なくとも１つのプロトコルデータユニット（ＰＤＵ）を受信することと、
肯定応答／否定応答（ＡＣＫ／ＮＡＣＫ）フィードバックが前記ＰＤＵのために生成されるべきであることを識別することと、
前記ＰＤＵのための前記ＡＣＫ／ＮＡＣＫフィードバックを生成することと、
前記ＰＤＵのための前記ＡＣＫ／ＮＡＣＫフィードバックを前記生成することの少なくとも一部分と同時に、およびＡＣＫ／ＮＡＣＫフィードバックが生成されるべきであることを識別することに少なくとも部分的に基づいて、前記ＡＣＫ／ＮＡＣＫフィードバックのためのプリアンブルを送信することと
を行うために実行可能な命令を備える、非一時的コンピュータ可読媒体。
［Ｃ６６］
前記命令が、
前記ＡＣＫ／ＮＡＣＫフィードバックのための前記プリアンブルを送信することの後に前記ＡＣＫ／ＮＡＣＫフィードバックを送信すること
を行うために実行可能である、Ｃ６５に記載の非一時的コンピュータ可読媒体。
［Ｃ６７］
前記ＡＣＫ／ＮＡＣＫフィードバックを前記生成することが、
前記ＡＣＫ／ＮＡＣＫフィードバックのための前記プリアンブルを送信することの前に前記ＡＣＫ／ＮＡＣＫフィードバックの最初の部分を生成することを備え、
ここにおいて、前記命令が、前記ＡＣＫ／ＮＡＣＫフィードバックのための前記プリアンブルを送信することの間に前記ＡＣＫ／ＮＡＣＫフィードバックの残りの部分を生成するために実行可能である、
Ｃ６５に記載の非一時的コンピュータ可読媒体。
［Ｃ６８］
ワイヤレスデバイスにおける通信のためのコードを記憶する非一時的コンピュータ可読媒体であって、前記コードが、
受信機に送信されるべき、シンボルにおけるコード化データビットの総数を決定することと、
前記受信機に送信されるべき、前記シンボルにおけるコード化データビットの前記総数のうちの有用なコード化データビットの数を決定することと、
有用なコード化データビットの前記数とコード化データビットの前記総数との比に少なくとも部分的に基づいて、前記シンボルの終端にフレーム拡張を追加することと
を行うために実行可能な命令を備える、非一時的コンピュータ可読媒体。
［Ｃ６９］
有用なコード化データビットの前記数とコード化データビットの前記総数との間の差が決定され、追加の処理時間の量が前記差と前記フレーム拡張との和を備える、Ｃ６８に記載の非一時的コンピュータ可読媒体。